(57)【要約】【課題】有機酸を含む消臭剤が付与されたトイレットペーパーを提供する。【解決手段】  消臭剤が付与されたトイレットペーパーが紙管に巻かれたトイレットロールであって、複数のトイレットペーパー原紙が積層され、その積層内面の少なくとも一面に有機酸を主成分とする消臭剤が付与されているとともに、その消臭剤の付与面積が平面視で５％以上の範囲あり、かつ、トイレットペーパー全体としての消臭剤の含有量が有効成分で０．０００１〜２．０ｇ/ｍ2であるトイレットロールにより解決される。【選択図】図２
2015047296.tif 000002
【特許請求の範囲】
【請求項１】
消臭剤が付与されたトイレットペーパーが紙管に巻かれたトイレットロールであって、
前記トイレットペーパーは、複数のトイレットペーパー原紙が積層されたものであり、
その積層内面の少なくとも一面に有機酸又はその塩である消臭剤が付与され、その消臭剤の付与面積が平面視で５％以上の範囲あり、
かつ、トイレットペーパー全体としての消臭剤の含有量が有効成分で０．０００１〜２．０ｇ／ｍ2である、ことを特徴とするトイレットロール。
【請求項２】
複数のトイレットペーパー原紙が、エンボスが付与されたトイレットペーパー原紙の凸部が積層内面に位置するようにして積層され、かつ、そのエンボスが付与されたトイレットペーパー原紙のエンボス凸部側面に、消臭剤が付与されている、請求項１記載のトイレットロール。
【請求項３】
前記有機酸又はその塩が、ポリフェノール、ポリフェノール誘導体及びポリフェノール類似体である請求項１又は２記載のトイレットロール。
【請求項４】
ポリフェノール、ポリフェノール誘導体及びポリフェノール類似体が、柿タンニン又はその誘導体である請求項３記載のトイレットロール。
【請求項５】
トイレットペーパーの積層外面に、模様印刷が施されている請求項１〜４の何れか１項に記載のトイレットロール。
【発明の詳細な説明】
【技術分野】
【０００１】
本発明は、帯状のトイレットペーパーが紙管に巻かれたトイレットロールに関する。
【背景技術】
【０００２】
従来、トイレ空間の消臭を目的としてトイレットロールに消臭剤を付与することが提案されている。例えば、トイレットペーパーの巻終わりを接着するテールシール糊に消臭剤を含ませる方法や、紙管内面に消臭剤を付与する方法等が提案されている。しかし、前者のものは使用開始と同時に消臭剤付与部分が使用されてしまうため、消臭効果の持続性に問題がある。後者のものは、消臭剤の付与位置が紙管という限られた部位であるため臭気成分と消臭剤との接触機会が十分ではなく、消臭機能のさらなる向上が求められるものであった。
【０００３】
そこで、トイレットロールを構成するトイレットペーパーに消臭剤を付与することが考えられる。トイレットペーパーに消臭剤を付与することができれば、臭気成分との接触機会は格段に向上する。トイレットペーパー自体に消臭剤を付与する場合、トイレットペーパーの両外面に消臭剤を付与すれば簡易にこれが達成できる。
【０００４】
しかし、トイレットペーパーは、使用時に直接肌に触れるものであるため、使用時に消臭剤が肌に触れてしまうことを嫌う消費者がいる。このため、トイレットロールにおいてトイレットペーパーに消臭剤を付与する場合には、使用時に使用者が触れない位置に消臭剤を付与することが望ましい。
【０００５】
また、消臭剤の中には、有機酸などアンモニア等のトイレ空間の主たる悪臭成分に対して優れた消臭効果を奏するものがあるが、このような酸はトイレットロールの製造装置内の鉄部材を錆びさせる。トイレットロールの製造装置には、トイレットペーパーの搬送路を構成するために表面平滑な鉄製のガイドロール（ペーパーロールとも称される）が設置されるが、係る有機酸はガイドロールの表面性に影響を与える。そして、ガイドロールの表面が消臭剤により荒らされると、紙粉増加や操業性悪化の要因となる。これについては、ガイドロールをステンレスやクロムメッキ性製のものへ変更したり、清掃頻度を高めることによりある程度は防止できることであるが、多くのガイドロール等の部材を交換したり洗浄するのには費用や手間がかかる。さらに、トイレットロールでは、デザイン性を向上させるために模様印刷を施したり、柔らかさや嵩高さ、さらにデザイン性の向上のためにエンボスが付与されたりすることがよく行なわれるが、このような模様印刷やエンボスを付与するトイレットロールの製造過程では、より搬送路が複雑で多くのガイドロールを要する搬送路となるため、より消臭剤を外面に付与したトイレットロールを製造することが困難となる。このように、有機酸を有効成分とする消臭剤を十分な消臭効果を発揮する程度にトイレットペーパーに付与してトイレットロールを製造することは非常に困難であった。
【先行技術文献】
【特許文献】
【０００６】
【特許文献１】特開２０１３−９４２３８号公報
【特許文献２】特開２０１３−７０８１５号公報
【特許文献３】特開２０１２−２１３５０８号公報
【発明の概要】
【発明が解決しようとする課題】
【０００７】
そこで、本発明の主たる課題は、使用時に消臭剤が肌に触れがたく、しかも、製造が容易な、有機酸を含む消臭剤が付与されたトイレットペーパーが巻かれたトイレットロールを提供することにある。
【課題を解決するための手段】
【０００８】
上記課題を解決した本発明は次記のとおりである。
〔請求項１記載の発明〕
消臭剤が付与されたトイレットペーパーが紙管に巻かれたトイレットロールであって、
前記トイレットペーパーは、複数のトイレットペーパー原紙が積層されたものであり、
その積層内面の少なくとも一面に有機酸又はその塩である消臭剤が付与され、その消臭剤の付与面積が平面視で５％以上の範囲あり、
かつ、トイレットペーパー全体としての消臭剤の含有量が有効成分で０．０００１〜２．０ｇ／ｍ2である、ことを特徴とするトイレットロール。
【０００９】
〔請求項２記載の発明〕
複数のトイレットペーパー原紙が、エンボスが付与されたトイレットペーパー原紙の凸部が積層内面に位置するようにして積層され、かつ、そのエンボスが付与されたトイレットペーパー原紙のエンボス凸部側面に、消臭剤が付与されている、請求項１記載のトイレットロール。
【００１０】
〔請求項３記載の発明〕
前記有機酸又はその塩が、ポリフェノール、ポリフェノール誘導体及びポリフェノール類似体である請求項１又は２記載のトイレットロール。
【００１１】
〔請求項４記載の発明〕
ポリフェノール、ポリフェノール誘導体及びポリフェノール類似体が、柿タンニン又はその誘導体である請求項３記載のトイレットロール。
【００１２】
〔請求項５記載の発明〕
トイレットペーパーの積層外面に、模様印刷が施されている請求項１〜５４の何れか１項に記載のトイレットロール。
【発明の効果】
【００１３】
以上の本発明によれば、使用時に消臭剤が肌に触れがたく、しかも、製造が容易な、有機酸を含む消臭剤が付与されたトイレットペーパーが巻かれたトイレットロールが提供される。
【図面の簡単な説明】
【００１４】
【図１】本発明の実施形態に係るトイレットロールの斜視図である。
【図２】本発明の実施形態のトイレットペーパーの断面図である。
【図３】本発明の他の実施形態のトイレットペーパーの断面図である。
【図４】本発明の別の実施形態のトイレットペーパーの断面図である。
【図５】本発明の実施形態のトイレットロールの製造方法を説明するための図である。
【図６】本発明の実施形態のトイレットロールに係る紙管の形成過程を説明するための図である。
【図７】本発明の実施形態のトイレットロールに係る二次原反ロールの形成過程を説明するための図である。
【図８】本発明の実施形態のトイレットロールに係る二次原反ロールの別の形成過程を説明するための図である。
【図９】本発明の実施形態のトイレットロールに係るトイレットペーパーの形成過程を説明するための図である。
【図１０】本発明の実施形態のトイレットロールに係るトイレットペーパーの形成過程を説明するための断面図である。
【発明を実施するための形態】
【００１５】
本発明の実施形態を図１〜１０を参照しながら以下に説明する。但し、本発明は、この実施形態に限られない。
【００１６】
［トイレットロール］
本発明に係るトイレットロールの実施形態を図１〜４を参照しながら説明する。本実施形態に係るトイレットロール１０は、長尺のトイレットペーパー１２が紙管１１に巻かれたものであり、そのトイレットペーパー１２自体に消臭剤が付与されたものである。
【００１７】
本実施形態に係るトイレットロール１０の大きさ等は、幅Ｌ１が１００〜１１５ｍｍ、直径Ｌ２が１００〜１２０ｍｍ、巻き長さ（トイレットペーパーの全長）が１８〜７０ｍ、紙管内径Ｌ３が３５〜５０ｍｍであるのが望ましい。この大きさであれば一般的なトイレットロール用のペーパーホルダーが利用でき、トイレットペーパー１２の長さも十分であり、また、巻きが崩れるおそれがない。
【００１８】
本実施形態に係るトイレットペーパー１２は、紙厚が、１００〜３５０μｍ、１プライ当り米坪が１１．０〜２５．０ｇ／ｍ2であるのが望ましい。この範囲であれば使用時の柔らかさや吸水性を確保できる。なお、本発明に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて５回測定した平均値をいう。なお、紙厚は、複数プライのまま測定する。
【００１９】
また、本実施形態に係るトイレットペーパー１２は、パルプ繊維を９０％以上含むものであり、好ましくは９８％以上、より好ましくは１００％である。パルプ繊維としては、ＬＢＫＰ（広葉樹クラフトパルプ）、ＮＢＫＰ（針葉樹クラフトパルプ）が最も好ましく、特にＬＢＫＰとＮＢＫＰとから構成され、ＬＢＫＰの配合割合が５０％超、好適には７０％以上であるのがよい。
【００２０】
ここで、本実施形態のトイレットペーパー１２は、特徴的に、図２〜図４に示されるように、複数のトイレットペーパー原紙１３が積層されたプライ構造を有しており、その積層内面１３Ａ〜１３Ｄの少なくとも一面に有機酸又はその塩である消臭剤が付与されている。（図中、消臭剤の付与位置を符号１５で示す）。消臭剤付与部分１５が積層内面１３Ａ〜１３Ｄに位置していることで、使用時に消臭剤が肌に触れがたくなる。
【００２１】
図２に示す形態は、２プライの積層構造であり、その二つの積層内面１３Ａ，１３Ｂの双方に消臭剤が付与されているが、必ずしも双方の面１３Ａ，１３Ｂに付与されている必要はなく、例えば、一方の積層内面１３Ａのみに消臭剤が付与されていてもよい。
【００２２】
また、図３に示す形態は、３プライの積層構造であり、この３プライ構造の場合には、積層内面は、四面１３Ａ〜１３Ｄ存在することになるが、そのうちのいずれかの面に消臭剤が付与されていればよい（図示の形態は、全ての積層内面１３Ａ〜１３Ｄに消臭剤が付与されている）。
【００２３】
なお、本実施形態のトイレットペーパー１２におけるプライ数については、２〜４プライとするのが望ましい。４プライを超えるとトイレットペーパーが厚すぎて使いづらくなるとともに、十分な巻き長さを確保することが難しくなる。
【００２４】
また、本実施形態のトイレットロール１０では、トイレットペーパー１２の積層内面１３Ａ…に消臭剤が位置しているため、消臭剤によるトイレ空間の消臭効果はトイレットペーパー原紙１３を透過して消臭剤の効果が発揮される。すなわち、消臭剤がトイレットペーパー原紙１３を透過して揮散したり、トイレットロール周辺空気がトイレットペーパー原紙１３を透過して消臭剤付与部分１５の消臭剤と接触することにより消臭効果が発揮される。このため、本発明のトイレットロール１０では、プライ数にかかわらず、トイレットペーパー１２を紙管１１に巻いた状態において常に紙管１１よりも外面側に位置する面（巻き取り外面）に近い積層内面に、消臭剤付与面があるのが望ましい。
【００２５】
したがって、少なくともトイレットロール１０の状態において、巻き取り外面に最も近い積層内面に消臭剤が付与されているのが望ましい。この面に消臭剤が付与されていれば、消臭剤の揮散や周辺空気との接触性を向上させやすく、特に消臭効果が高めることができる。なお、巻き取り外面に近い面について、より詳細に説明すると、具体的には、図２に示す２プライの形態では、二つの積層内面１３Ａ，１３Ｂのうち一方に設けるのであれば、符号１３Ａで示す面であり、図３に示す３プライの形態では、符号１３Ａの面である。但し、本発明では全ての積層内面に消臭剤が付与されていることを否定しない。
【００２６】
本発明の特に好ましい形態は、図２に示されるように２プライの二面の双方の積層内面１３Ａ，１３Ｂに消臭剤が付与されている形態、３プライの四面の巻き取り外面に近い面の二面１３Ａ，１３Ｂに消臭剤が付与されている形態である。製造が容易で、消臭剤の付与量を十分にでき、またロール形態としても消臭剤と外気との接触が十分に確保できる。さらに、トイレットペーパー１２の柔らかさの点でも設計しやすく、巻き長さも十分に確保できる。
【００２７】
他方、本実施形態のトイレットペーパー１２においては、その消臭剤の付与面積が平面視で５％以上の範囲となっている。より、好ましくは２０％以上の範囲である。上限は全面に消臭剤付与範囲である１００％である。ここで、付与面積が平面視で５％の範囲とは、紙面の一方面から見た際に消臭剤が付与されている部分の範囲が、その一方面の５％以上の範囲を有しているということである。したがって、積層内面の一面のみに設けた場合には、その付与面における消臭剤の付与範囲が５％以上ということになる。複数の積層内面に消臭剤が付与されている場合は、各面の積層状態で各面の消臭剤付与範囲が重なり合う部分と重なり合わない部分とを合わせた範囲が、一方面の５％以上ということである。
【００２８】
ここで、本発明では、長尺のトイレットペーパー１２の先端部分のみ消臭剤が付与されているもの、巻き開始部分のみに消臭剤が付与されているもの、トイレットペーパーの全長の中央部分のみに消臭剤が付与されたものであってもよいが、その場合、使用開始初期や使用後期に消臭効果が低下或いは得られなくなるおそれがある。したがって、好ましくは、長尺のトイレットペーパーの長手方向×幅方向の特定の範囲に消臭剤が付与されていない部分が存在するにしても、当該部分の長手方向長さが１ｍ未満であるのが望ましい。換言すれば本発明では、トイレットペーパーの長手方向に少なくとも１ｍ毎に消臭剤の付与部分が存在しているのが望ましい。当該部分が１ｍ未満であれば、十分に消臭性能を得ることができる。すなわち、トイレットロールを構成するトイレットペーパーはロール状に巻かれた場合でもある程度の通気性があることから、１ｍ程度の消臭剤未付与部分があっても、消臭効果を十分に発揮できる。もっとも特に好ましくは、トイレットペーパー１２の全長に渡って、さらに特に好ましくは紙面全体に分散して、消臭剤が位置しているものである。トイレットロールは、芯際にいくほどロール周長が短くなるが、紙管の周長の長さの範囲で消臭剤が塗布されていれば、使用開始から使用終了まで常にロール外表面に近い位置に消臭剤付与部分が位置されていることになり、使用開始から使用終了まで消臭効果を持続して発揮させることができる。
【００２９】
このように本実施形態に係るトイレットロール１０では、トイレットペーパー１２に消臭剤が付与されていることから、トイレットロール１０の広範な範囲を占める周面１２Ａに消臭剤が位置されていることになり、紙管１１などの狭い範囲にのみに消臭剤が付与されているものと比較してトイレ空間内の悪臭成分との接触機会が多くなり、消臭効果に優れる。但し、本発明に係るトイレットロール１０は、紙管に消臭剤が付与されていることを否定しない。
【００３０】
さらに、トイレットペーパー先端からトイレットペーパーの終端まで消臭剤が適当間隔で間欠的に或いは連続的に配置されているものでは、トイレットペーパー１２を使用する毎に、トイレットロールの周面１２Ａに新しいトイレットペーパー１２が位置されることになるため、その毎に新たな消臭剤も周面近くに位置されるようになり消臭効果の持続性も優れるようになる。
【００３１】
他方、本実施形態に係るトイレットペーパー全体としての消臭剤の含有量は、有効成分で０．０００２〜２．０ｇ/ｍ2とするのが好ましい。より好ましくは０．００６〜０．８ｇ／ｍ2である。特に好ましくは、０．０１〜０．５ｇ／ｍ2である。０．０００２ｇ／ｍ2未満であると消臭効果が得られ難く、２．０ｇ／ｍ2を超えても消臭効果は得られるものの、塗布量が過剰となるとともに、特にコスト高となる。
【００３２】
ここで、本発明に係る消臭剤は、有機酸又はその塩である。これらは一種又は二種以上を含まれていてみよい。なかでも、その有機酸又はその塩が、茶  柿、ブドウ等の植物及び植物の加工品から抽出されるなどした、ポリフェノール又はポリフェノールの誘導体又は類似体であるのが望ましい。フェノール系水酸基による反応性により、悪臭成分の一つであるアンモニアに対して高い消臭機能を有するものの、鉄を酸化させるものであるため、トイレットペーパーの積層外面に付与するのは好ましくないものである。
【００３３】
ポリフェノール、ポリフェノールの誘導体及び類似体は、トイレ空間内における悪臭成分との化学反応により消臭効果を奏するものであり、トイレ空間内において極めて優れた消臭効果を奏する。また、ポリフェノール誘導体のなかには、アンモニアに加えて、硫化水素、メチルメルカプタン、トリメチルアミンに対して反応性を有して消臭機能を有するものも存在するが、もちろん本発明に用いるポリフェノール等はそのようなものであってもよい。
【００３４】
本発明に係るポリフェノール、ポリフェノールの誘導体及び類似体のより好ましい具体例としては、タンニン、カテキン、ルチン、アントシアニン、エラグ酸、クマリン、フラボン及びこれらの誘導体又は前駆体である。これらはトイレの悪臭成分に対して特に高い消臭効果を発揮する。なお、これらの物質は、適宜複数付与されていてもよい。
【００３５】
上記具体例のなかでも、特に好ましいものは、タンニン及びその誘導体である。タンニン及びタンニン誘導体は、分子量が大きくフェノール系水酸基を多く有するため消臭機能に優れる。なお、タンニンは、縮合型タンニン、加水分解型タンニンのいずれでもよい。また、タンニンのなかでも、柿由来の柿タンニンは、分子量が非常に大きく、消臭効果に極めて優れるため、本発明に係る消臭剤成分として、この柿タンニン及び柿タンニン誘導体の少なくとも一方を含むようにするのがよい。但し、柿タンニン及び柿タンニン誘導体は、濃度が高まると特有の茶褐色の色が顕著となるため、２．０ｇ／ｍ2を超えて付与するとトイレットペーパー原紙が茶褐色に染色して、清潔感を低下させるおそれがある。
【００３６】
他方、本発明に係るトイレットロール１０では、図４に示すように、トイレットペーパー１２にエンボス１４が付与されているのが望ましい。エンボス１４の付与態様としては、図４に示すように、一方のトイレットペーパー原紙１３のエンボス凸部１４Ａが他方のトイレットペーパー原紙に対面し、そのエンボス凸部によって他方のトイレットペーパー原紙との間に空隙を有するようされている所謂ダブルエンボスの形態、図示はしないが、トイレットペーパー１２の一方面にエンボス凸部のみが存在し、他方の面にそのエンボス凸部に対応する凹部のみが形成されている、所謂シングルエンボスの形態のいずれであってもよい。エンボス１４が付与されていることにより嵩高となるとともに、紙面の面積が増加して消臭剤と外気との接触機会がより増加する。特に、図４に示される、プライを構成するトイレットペーパー原紙１３のうちエンボスが付与されているものが、そのエンボス凸部頂部１４Ａが積層内面側に位置するようにして積層されて空隙が形成されているダブルエンボスが望ましい。このエンボス態様では、エンボスによって各プライ間に空隙ができるため、通気性に優れ、より消臭剤と外気とが接触しやすくなり、高い消臭効果が得られる。
【００３７】
また、上記ダブルエンボスの場合には、図示例の如く、エンボス凸部頂部１４Ａにラミネート糊１６が配され、これによってトイレットペーパー原紙同士が接着されているのが望ましい。このようにするとプライ剥離が好適に防止される。
【００３８】
なお、本実施形態のうちエンボスを付与する例においては、その具体的なエンボス柄、エンボス深さ、エンボス密度、エンボスを構成する個々の単位エンボスの形状、エンボス付与面積は限定されるものではない。消臭剤の効力、消臭剤液の性状、その付与量、エンボスによるデザイン性、嵩高性、柔らかさの向上性を考慮して、適宜定めることができる。好ましい例を示せば、紙面全体に、エンボス密度３０〜１００個／ｃｍ2、エンボス深さ０．２〜２．０ｍｍで付与された所謂マイクロエンボスの形態、エンボス密度で０．１〜２５個／ｃｍ2、エンボス深さ０．３〜２．５ｍｍで図柄を描くように付与されたマクロエンボス或いはデザインエンボスとも称されるエンボス形態である。なかでもマクロエンボス或いはデザインエンボスとも称されるエンボスは、頂部が広くラミネート糊を適量容易に付与でき、デザイン性の向上の効果も得られることから特に望ましい。
【００３９】
他方、本実施形態のトイレットペーパーでは、積層外面に模様印刷が施されているのが望ましい。積層外面に模様印刷が施されているとトイレットロールの意匠性が向上する。
【００４０】
［トイレットロールの製造方法］
次いで、本発明のトイレットロールの製造方法例についても、特に図５〜図１０を参照しながら説明する。本実施形態のトイレットロールを製造するには、この製造方法例により効率よく製造することができ、特に有効であり、ここに示される製造方法例に起因する特有の特性を有することができる。但し、本発明のトイレットロールの製造方法は、この方法に限定されるわけではない。
【００４１】
この本実施形態のトイレットロールの製造方法は、図５に示すように、長尺の紙管３０を製造する紙管形成工程（Ａ）と、その長尺の紙管にトイレットペーパーを巻いてログを製造するログ形成工程（Ｂ）と、ログを裁断して個々のトイレットロールにするログ裁断工程（Ｃ）と、図７及び図８に例示される前記ログ形成工程においてトイレットペーパーを形成するための二次原反ロールの形成工程とを有している。
【００４２】
（紙管形成工程（Ａ））
本実施形態の紙管形成工程は、図５中（Ａ）及び図６に示すように、原反ロール３１Ａ，３２Ａから繰出された二枚の帯状の紙管原紙３１，３２のうち一方の紙管原紙３１の一方面に糊付けロール５１によって接着糊４４を付与し、前記一方の紙管原紙３１の糊付けされた面に他方の紙管原紙３２を幅方向に一部重ね、前記他方の紙管原紙３２の糊付け面と接しない面をマンドレルシャフト５２に対向する面、すなわち紙管内面となる面にして、各紙管原紙３１，３２をマンドレルシャフト５２に螺旋状に巻き付けて連続的に筒状部分３を形成し、その筒状部分３をトイレットロールの複数倍幅以上の幅でカッター５８によりカットして長尺のスパイラル紙管３０（スパイラル式紙管とも称される）を形成している。このスパイラル紙管は、一方の紙管原紙３１が紙管外面側、他方の紙管原紙３２が紙管内面側となる態様の二層積層構造となる。なお、本実施形態では、２枚の紙管原紙３１，３２をスパイラル巻きしているが、３枚以上の紙管原紙をスパイラル巻きして長尺の紙管を形成してもよい。また、本発明では、スパイラル紙管ではなく平巻き紙管とすることもできる。
【００４３】
図示の形態では、各紙管原紙３１，３２のマンドレルシャフト５２への巻き付けは、一対のプーリー５３，５３間に巻き掛けられた平ベルト５４により、マンドレルシャフト５２上の所定部分に位置する筒状部分３に回転力を与え、その回転により紙管原紙３１，３２をマンドレルシャフト５２の軸心に対して所定角度で引き込んで、螺旋状に巻くようにしている。図示例では、一対のプーリー５３，５３を二機配置して二つの平ベルト５４，５４により、筒状部分３に回転力を与えているが、一機の一対のプーリーと平ベルトにより筒状部分に回転力を与えるようにしてもよい。また、図示しないが、筒状部分３に平ベルト５４ではなくロールを当接させて回転力を与えるようにしても、各紙管原紙３１，３２をマンドレルシャフト５２に巻き付けることができる。
【００４４】
このようにして長尺紙管３０を形成した後には、この長尺紙管３０をコンベア５５に供給して適宜の搬送経路で連続的又は断続的に次段のログ形成工程（Ｂ）におけるワインダーＸ２に供給していく。
【００４５】
（二次原反ロール形成工程）
本実施形態のトイレットロールの製造方法は、図７及び図８に示すように、抄紙設備で抄造するなどした一次原反ロール６０から繰出したトイレットロール１０の複数倍幅以上の幅の原紙６１の一方面に塗布装置６５Ａによって消臭剤を付与した後、巻き取り装置６６で巻き取って消臭剤が付与された二次原反ロール７０とする。
【００４６】
本実施形態のトイレットロールを製造方法は、特にこの一次原反ロール６０から繰出した原紙６１に消臭剤を付与した後、その消臭剤付与面６１Ａをガイドロール６，６…等の鉄製ロールに接触することなく搬送して、その消臭剤付与面が巻き取り内面となるようにして二次原反ロール７０に巻き取るのが望ましい。このようにすれば、有機酸を含む消臭剤の付与面がガイドロール等に接触して、ガイドロール等を腐植等させるおそれがない。
【００４７】
具体的な搬送経路は、特に限定されるものではないが、例えば、図７、８に示すように搬送経路を構築すれば、一次原反ロール６０から繰出した原紙６１に消臭剤を付与した後、その消臭剤付与面をガイドロール６，６…に接触することなく搬送して、その消臭剤付与面６１Ａが巻き取り内面となるようにして巻き取って二次原反ロール７０にすることができる。
【００４８】
他方、本実施形態のトイレットロールの製造方法においては、原紙６１に対して消臭剤を付与する消臭剤付与装置６５Ａとしては、公知のロール転写式の塗工機や印刷機、スプレー塗布装置を用いることができる。図７は、ロール転写式の消臭剤塗布装置を用いて消臭剤を付与する例を示しており、図８は、スプレー塗布装置を用いて消臭剤を付与する例を示している。消臭剤を付与する装置は、フレキソ印刷装置、グラビア印刷装置、二流体方式のスプレー塗布装置、ローターダンプニング噴霧方式のスプレー塗布装置が望ましい。特に、好ましいのは、フレキソ印刷装置である。フレキソ印刷装置は、印圧の調整がしやすく、トイレットペーパーの原紙特有の表面のクレープがあってもムラのない塗布が可能で、原紙にシワが入り難くなる。また、一つのロールで幅広い薬液の粘度に対応でき、管理、設備メンテナンスの点で利点がある。
【００４９】
また、本実施形態のトイレットロール１０において特に印刷による模様が付与されたものを製造するにあたっては、消臭剤を付与する際に、原紙６１に模様印刷を行なうのが望ましい。図７の形態では、一つの圧胴６５Ｃに対して複数の刷版ロール６５Ｂ，６５ａが配された多色刷り印刷装置６５を用いて、消臭剤付与装置６５Ａに係る刷版ロール６５ａによる消臭剤の付与と同時に、刷版ロール６５Ｂによって模様印刷を行い、消臭剤付与面と同一面に模様印刷を行なっている。この場合は、消臭剤付与面と印刷面が同一面となる。このように印刷装置により消臭剤を付与する場合には、消臭剤を着色インクに混合して付与してもよい。特に、図７に示すような多色刷り印刷装置を用いる場合には、模様を形成するための一部の色の着色インキ中に消臭剤を混合して付与するようにしてもよいし、全ての色の着色インキ中に消臭剤を混合するようにしてもよい。
【００５０】
また、図８の形態では、ロール転写式の印刷機６５の圧胴ロール６５Ｄの近傍に消臭剤付与装置６５Ａであるスプレー塗布装置を設けて、圧胴６５Ｃから離れた直後の原紙に対してその印刷面と反対の面に消臭剤を付与している。この場合には、消臭剤付与面と模様印刷面が表裏の関係になり、特に消臭剤付与面を積層内面、模様印刷面を積層外面としたトイレットロールを製造することが可能となる。
【００５１】
一方、本実施形態のトイレットロールの製造方法において消臭剤を付与するにあたっては、各付与装置での付与に適した液体状やスラリー状の消臭剤を含む薬液として用いる。係る消臭剤を含む薬液は、消臭剤のほか、溶媒、有効成分である消臭剤をトイレットペーパー原紙に定着させるための接着剤、インク、その他の助剤等を含みうる。溶媒としては、水、アルコール類、エチレングリコール、プロピレングリコール、ブチレングリコール、プロピルアルコール、エタノール、メタノール等が例示できる。これらを少なくとも一種含むのが望ましく、特に水と、プロピルアルコール、エタノール、メタノールの少なくとも一種で構成される低級アルコールとが含まれているのがよい。
【００５２】
接着剤としては、消臭剤の効果を妨げない範囲で選択でき、例えば、カルボキシメチルセルロース、ポリビニルアルコール、澱粉、等が例示できる。
【００５３】
ここで、消臭剤としてポリフェノール等を用いる場合には、このポリフェノール等を０．１〜４０重量％、好ましくは０．５〜２０重量％、特に好ましくは、１．０〜１０重量％含むポリフェノール系消臭液に対して、上記接着剤、インク、水や低級アルコール等の溶媒、その他の助剤を適宜混合して、消臭剤を含む薬液とすることができる。
【００５４】
なお、ポリフェノール系消臭液には、ポリフェノール等以外のその他の成分として、水等の溶媒や保存剤、ｐＨ調製剤等の助剤を含みうる。また、本実施形態に係るポリフェノール系消臭剤には、安定性、ポリフェノール等への官能基の付与、自身の反応性による消臭効果のさらなる向上の観点等のためその他の有機酸、有機酸塩が配合されていてもよい。係る有機酸、有機酸塩は、例えば、乳酸、酒石酸、リンゴ酸、フマル酸、コハク酸、クエン酸、グルタル酸、アミノ酸、アジピン酸、アスコルビン酸、又はこれらの無機塩もしくは有機塩が例示できる。塩を形成する無機塩基としては、ナトリウム、カリウム、リチウム、カルシウム、マグネシウムのようなアルカリ金属又はアルカリ土類金属の水酸化物、酸化物、炭酸塩、炭酸水素塩等が例示できる。また、有機塩基としては、窒素含有塩基、例えば一級、二級又は三級アミン、イミノ基、グアニジノ基、イミダゾリノ基、イミダゾリル基、ピリジル基等の基を有する化合物が例示できる。
【００５５】
なお、ポリフェノール系消臭液は、市販されているものを用いることができる。例えば、リリース科学工業株式会社製のPancil COS-15、Pancil COS-17、Pancil CL-10、Pancil AS-10、Pancil AS-20、Pancil  BA-210-1、Pancil COS-5、Pancil FG-22、Pancil FG-25、Pancil FG-30、Pancil FG-60、Pancil FG-70、Pancil FG-99、Pancil FX10、Pancil PO -10、Pancil BA-200E-1を適宜用いることができる。
【００５６】
他方、本実施形態のトイレットロールの製造方法では、原紙６１を巻き取る巻き取り装置６６は公知のものを用いることができる。本実施形態のトイレットロールの製造方法では、原紙６１Ａを巻き取って二次原反ロール７０を形成するにあたって、図３、４に示されるように、その消臭剤付与面６１Ａが巻き取り内面となるようにして巻き取るのが望ましい。このようにして巻き取ることで、二次原反ロール７０の外周面に消臭剤付与面６１Ａが露出されないため、二次原反ロール７０を巻き取り装置６６から排出する際や、次段のログ形成工程に移送する際に、消臭剤が設備や移送機器に触れることがなく、係る設備や移送機器の鉄製部材を消臭剤により酸化することがない。
【００５７】
（ログ形成工程（Ｂ））
本実施形態のトイレットロールの製造方法では、上記の長尺の紙管３０の製造、二次原反ロール７０の製造と平行して又はその後において、ログ形成工程（図５中（Ｂ）でワインダーＸ２によりログ７５を製造する。なお、ログ７５とは、最終製品であるトイレットロールの直径と同径でありかつ幅が最終製品の複数倍幅以上ある中間製品である。ログ７５の形成は、紙管形成工程（Ａ）で製造した長尺の紙管３０をワインダーＸ２の巻き取り部８５にセットし、これと実質的に同幅又はそれよりも若干幅狭のトイレットペーパー７を巻き付けるようにして行なう。
【００５８】
長尺紙管３０に巻き付けるトイレットペーパー７は、ワインダーＸ２において、二次原反ロール７０Ａ，７０Ｂから繰出した各原紙７１Ａ，７１Ｂを消臭剤付与面が積層内面となるようにして積層して、連続的に形成していく。
【００５９】
図示の形態は、特に、エンボスが付与されたトイレットペーパー７、特に、エンボスの凸部が積層される他の原紙に対面するようにして配置されている、所謂ダブルエンボスとも称される態様でエンボスが付与されたトイレットペーパー７を形成してく例を示している。
【００６０】
この形態では、図９に示すように、まず、二次原反ロール形成工程で製造した二つの二次原反ロール７０Ａ，７０Ｂを、上下方向の最下点から原紙を水平に引き出した際に、その方向が異なる方向となるようにして、対面配置する。この時、二次原反ロール７０Ａ，７０Ｂは、上述のとおり外周面は消臭剤非付与面となっている。そして、各原反ロール７０Ａ，７０Ｂから原紙７１Ａ，７１Ｂを繰出し、その直後に各原紙７１Ａ，７１Ｂの消臭剤非付与面にテンションロール８ａを接するように配置して、繰り出し時にテンションを調整するとともに、そのテンションロールの後段の重ね合わせガイドロール８ｂで各原紙７１Ａ，７１Ｂの消臭剤付与面６１Ａが対面するようにして一次的に積層して、下流に搬送して、エンボスを付与するためのエンボス付与装置２０Ａ，２０Ｂに導く。このように、二次原反ロール７０Ａ，７０Ｂから繰出した一方面に消臭剤が付与された原紙７１Ａ，７１Ｂを消臭剤付与面６１Ａが対面するようにして一次的に積層することにより、消臭剤付与面６１Ａが積層内面となり、その状態で搬送される限り、ガイドロールをシートの表裏どちらの面に接するように配しても、消臭剤付与面６１Ａがガイドロールに接することがなくなる。
【００６１】
また、図示の形態では、二次原反ロール７０Ａ，７０Ａの上下方向の最下点から原紙７１Ａ，７１Ｂを繰出しているが必ずしもこのように繰出する必要はない。重ね合わせガイドロール８ｂまでのガイドロール構成は、図示の形態に限定されない。但し、重ね合わせガイドロール８ｂに至るまでの経路に鉄製のガイドロールは配置しないのが望ましい。
【００６２】
消臭剤付与面６１Ａが積層内面となるようにした状態の原紙７１Ａ，７１Ｂは、エンボス付与装置２０Ａ，２０Ｂの直前で再剥離して、各原紙７１Ａ，７１Ｂをそれぞれ別途に、表面のエンボス形状に対応する多数のエンボス付与凸部が形成されたエンボスロール２１Ａ，２１Ｂと、このエンボスロール２１Ａ，２１Ｂを受ける受けロール２２Ａ，２２Ｂとで構成されるエンボス付与装置２０Ａ，２０Ｂに導いて、それらエンボスロール２１Ａ，２１Ｂと受けロール２２Ａ，２２Ｂとの間に原紙７１Ａ，７１Ｂを通して、各々の原紙７１Ａ，７１Ｂに別途にエンボスを付与する。
【００６３】
原紙を再剥離するにあたっては、図９に示すとおり、エンボス付与装置に直前のガイドロール８ｃから各原紙７１Ａ，７１Ｂを分離させて、各々エンボス付与装置２０Ａ，２０Ｂを構成するロールに導くようにすればよい。但し、各エンボス付与装置２０Ａ，２０Ｂへ導くために原紙の消臭剤付与面６１Ａに接するガイドロール８ｄが必要ならばそのように配して搬送路８ｘを構成してもよい。もちろん、このガイドロール８ｄを消臭剤により酸化されない素材とすることができる。
【００６４】
分離された原紙７１Ａ，７１Ｂをそれぞれ別途にエンボス付与装置に供給するにあたっては、特に図９に示すように、原紙７１Ａ，７１Ｂを、その消臭剤付与面６１Ａが表面弾性の受けロール２２Ａ，２２Ｂの表面に対面するようにして巻き掛けるようにする。そして、その受けロール２２Ａ、２２Ｂ上を搬送する過程でエンボスロール２１Ａ，２１Ｂとの間に通してエンボスを付与するようにし、そのエンボス付与後から原紙７１Ａ，７１Ｂがエンボスロール２１Ａ，２１Ｂに巻き掛けられた状態で下流へ搬送するようにする。このようにすると、金属製のエンボスロール２１Ａ，２１Ｂに消臭剤付与面を接触させることなくエンボスを付与することができる。
【００６５】
また、本実施形態のトイレットロールの製造方法では、好ましく、原紙７１Ａがエンボスロール２１Ａ上を搬送されている際に、このエンボスロール２１Ａのエンボス付与凸部の頂部のみに接するように配置した転写ロールを有するロール転写設備２５Ａによって原紙７１Ａの表面にラミネート糊を付与する。原紙７１Ａは、エンボス付与時における押圧によってエンボスロール２１Ａの表面凹凸形状に応じた形状に変形された状態でエンボスロール表面に配されているため、このようにすると原紙７１Ａのエンボス凸部頂部の位置のみにラミネート糊２９が付与される。ラミネート糊は、公知のものが利用できる。
【００６６】
本実施形態のトイレットロールに係る製造方法では、このようにしてエンボスが付与された原紙７１Ａ，７１Ｂは、前記エンボスロール２１Ａ，２１Ｂから離すとともに、図１０にも示すように、その消臭剤が付与された面を、他の原反ロール７０Ａ（７０Ｂ）から繰り出され他のエンボス付与装置２０Ａ（２０Ｂ）で消臭剤を付与した原紙７１Ａ（７１Ｂ）に、消臭剤付与面を対面させて積層し、積層内面に消臭剤が付与されたトイレットペーパー７とする。特に図示例のトイレットロールに係る製造方法では、一方の原紙７１Ａのエンボス凸部頂部にラミネート糊２９が付与されているため、各原紙７１Ａ，７１Ｂがそのラミネート糊２９により接着された態様で積層一体化されトイレットペーパーとされる。
【００６７】
なお、図示例では、一方のエンボスロール２１Ｂから離れた原紙７１Ｂを他方のエンボスロール２１Ａに隣接して配されたマリッジロール２３に導いて、そのマリッジロール２３上で積層一体化するようにしている。但し、この図示の形態に限らず、エンボスロール２１Ａ，２１Ｂ同士をその周面が対面するように近接配置し、各エンボスロール２１Ａ，２１Ｂの周面が対面する位置において各原紙７１Ａ，７１Ｂの消臭剤塗布面が付き合わせられて積層一体化されるようにしてもよい。
【００６８】
積層一体化の態様については、特に、図１０（ｂ）に示すように、各原紙７１Ａ，７１Ｂのエンボス凸部の頂部２６Ａ，２６Ｂ同士が対面一致するようにして、所謂「Ｔｉｐ  Ｔｏ  Ｔｉｐ」の形態で積層するようにしてもよいし、図には示さないが、エンボス凸部の頂部同士が対面一致していない所謂「Ｎｅｓｔｅｄ」の形態で積層してもよい。これらは、エンボスのパターンを「Ｔｉｐ  Ｔｏ  Ｔｉｐ」用、「Ｎｅｓｔｅｄ」用として選択して実施することができる。なお、図１０中において消臭剤付与位置は符号２７Ａ，２７Ｂで示されている。
【００６９】
但し、本発明のトイレットロールを製造するにあたっては、図示の形態に限定されず、例えば、二次原反ロールを形成するための一次原反ロール６０が、予め積層されたシートを巻き取ったものとして製造してもよい。また、原反ロールを３つ以上にして、各々原紙を繰出して、消臭剤付与面が外面とならないように一次的に積層するようにすれば  ３プライ以上のものを製造できる。さらに、ワインダーにセットする複数の二次原反ロールのうちいくつかを消臭剤が付与されていないものとすることもでき、この場合には、消臭剤が付与されたトイレットペーパー原紙と、消臭剤が付与されていないトイレットペーパー原紙が積層一体化されたトイレットペーパーとなる。
【００７０】
また、本実施形態のトイレットロールに係る製造方法においては、各原反ロール７０Ａ，７０Ｂから各原紙７１Ａ，７１Ｂを繰出した後に重ね合わせガイドロール８ｂで一度積層した後、エンボス付与装置２０Ａ，２０Ｂの直前で再剥離するように構成されているが、本発明では、このように搬送路を構成せずに、原反ロール７０Ａ，７０Ｂから各原紙７１Ａ，７１Ｂを一時的に積層することなく各エンボス付与装置２０Ａ，２０Ｂに別途に導いて、表面弾性の受けロール２２Ａ，２２Ｂに巻き掛けるようにしてもよい。
【００７１】
さらに、本実施形態では、各原反ロール７０Ａ，７０Ａから繰出された原紙７１Ａ，７１Ｂのそれぞれにエンボスの付与を行なっているが、エンボス付与装置を一機のみとして、一方の原紙のみにエンボスを付与するようにしてもよい。
【００７２】
また、本実施形態のトイレットロールの製造方法においては、各原反ロール７０Ａ，７０Ｂから各原紙７１Ａ，７１Ｂを繰出した後に重ね合わせガイドロール８ｂで一度積層した後、エンボスを付与することなくそのままトイレットペーパー７としてもよい。この場合には、エンボスが付与されていないトイレットペーパーとなる。さらに、各原反ロール７０Ａ，７０Ｂから各原紙７１Ａ，７１Ｂを繰出して重ね合わせガイドロール８ｂで一度積層した後、その重ね合わせたままの状態で一機のエンボス付与装置によりエンボスを付与して、一方面にエンボス凸部、その反対面にその凸部に対応する凹部が形成される所謂シングルエンボスの態様のトイレットペーパー７としてもよい。
【００７３】
以上のように原紙７１Ａ，７１Ｂを積層してトイレットペーパー７を形成した後には、本実施形態では、ミシン目線形成装置８２にてミシン目線の形成を行ない、その後に、巻き取り部８５において長尺紙管３０に巻き付けて２プライのログを形成する。但し、ミシン目線形成装置及びミシン目線の付与は必須ではない。また、本実施形態において、図示はしないが、ミシン目線付与装置８２の前段に既知のコンタクトエンボス付与装置を設けてコンタクトエンボスを付与してもよい。
【００７４】
本実施形態に係るトイレットペーパー７の形成は、ワインダーＸ２におけるログ製造工程の一連の流れのなかで、そのワインダー中に設置された金属製のエンボスロールや、ガイドロールに消臭剤付与面を接触させることなく、消臭剤付与面が積層内面とされたトイレットペーパーを連続的に形成するため、トイレットロールの生産性を低下させることがない。また、原反ロールからエンボスを付与してトイレットペーパーとするまで、また、それ以降において、設備の金属部材を酸化・腐食・変色させたり、傷めたりするおそれがない。消臭剤が付着することによる機材の洗浄の手間も低減される。
【００７５】
＜ログ裁断工程（Ｃ）＞
以上のように、積層内面に消臭剤が付与されたトイレットペーパー７が長尺紙管３０に巻かれたログ７５を製造したならば、図５に示すように、このログ７５を既知のログアキュームレーターＸ３で複数本をストックしつつ後段のログカッター設備Ｘ４へと移動させる。そして、その後に特に図５中（Ｃ）に示すように、既知のログカッター９１でログ７５を製品幅に裁断し、図１に示すような、本実施形態に係る個々のトイレットロール１０，１０…とする。本実施形態に係るログ７５は、その表面に消臭剤が露出されていないため、ログ形成後以降の工程においても消臭剤が製造設備を傷めるおそれがない。
【符号の説明】
【００７６】
１０…トイレットロール、１１…紙管、１２…トイレットペーパー、１３…トイレットペーパー原紙、１３Ａ〜１３Ｄ…トイレットペーパー原紙の積層内面、１５…消臭剤の付与部分、１２Ａ…トイレットロールの周面、１４…エンボス、１４Ａ…エンボス凸部、１６…ラミネート糊、Ｌ１…ロールペーパーの幅、Ｌ２…ロールペーパーの直径、Ｌ３…紙管内径、３１Ａ，３２Ａ…原反ロール、３１，３２…長尺の紙管原紙、５１…糊付けロール、４４…接着糊、５２…マンドレルシャフト、５８…カッター、５３…プーリー、５４…平ベルト、３…筒状部分、５５…コンベア、Ｘ２…ワインダー、６０…一次原反ロール、６１…原紙、６１Ａ…消臭剤付与面、６５Ａ…消臭剤塗布装置、６５Ｂ…フレキソ版、６５Ｃ…圧胴、６６…巻き取り装置、７０…二次原反ロール、６…ガイドロール、７５…ログ、７０Ａ，７０Ｂ…原紙、７…トイレットペーパー、７１Ａ，７１Ｂ…原紙、８ａ…テンションロール、８ｂ…重ね合わせガイドロール、８ｃ…エンボスロール直前のガイドロール、２０Ａ，２０Ｂ…エンボス付与装置、２１Ａ，２１Ｂ…エンボスロール、２２Ａ，２２Ｂ…受けロール、２５Ａ…ロール転写設備、２９…ラミネート糊、２７Ａ，２７Ｂ…消臭剤付与位置、２３…マリッジロール、８２…ミシン目線形成装置、８５…巻き取り部、９１…ログカッター。
【図１】
2015047296.tif 000003
【図２】
2015047296.tif 000004
【図３】
2015047296.tif 000005
【図４】
2015047296.tif 000006
【図５】
2015047296.tif 000007
【図６】
2015047296.tif 000008
【図７】
2015047296.tif 000009
【図８】
2015047296.tif 000010
【図９】
2015047296.tif 000011
【図１０】
2015047296.tif 000012